(57)【要約】      （修正有）【課題】Ｗｅｂページ上に張られたリンクに関して、ユーザがアクセス数を容易に感知できる装置を提供する。【解決手段】アクセス促進装置は、所定のリンクが設定された第一画像が挿入されたＷｅｂページの閲覧者が利用する閲覧者端末とネットワークを介して通信可能に構成され、Ｗｅｂページの閲覧者によるリンク先へのアクセスに応じて、第一画像を段階的に隠蔽し、閲覧者端末から、第一画像に設定されたリンク先へのアクセス要求を受け付けるアクセス要求受付部と、閲覧者端末によるリンク先へのアクセス数をカウントするアクセス数カウント部と、閲覧者端末からのアクセスに応じて、第一画像上に、アクセス数に応じた数のオブジェクト画像が配置され、第一画像の一部領域がオブジェクト画像によって隠された第二画像を生成する画像生成部と、生成された第二画像に対し、リンク先へのリンクを再設定するリンク設定部と、を有する。【選択図】図２
2012234414.tif 000002
【特許請求の範囲】
【請求項１】
所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促す装置であって、
上記閲覧者端末から、上記第一画像に設定されたリンク先へのアクセス要求を受け付けるアクセス要求受付手段と、
上記閲覧者端末によるリンク先へのアクセス数をカウントするアクセス数カウント手段と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成手段と、
生成された上記第二画像に対し、上記リンク先へのリンクを再設定するリンク設定手段と、を有する、
ことを特徴とするアクセス促進装置。
【請求項２】
上記アクセス数が既定数を超えると、上記第二画像に対する、上記リンクの再設定を解除する、リンク解除手段を有する、
ことを特徴とする請求項１に記載のアクセス促進装置。
【請求項３】
上記第一画像を複数の区画として記憶している画像区画記憶手段を有し、
上記画像生成手段は、上記閲覧者端末からのアクセスに応じて、上記画像区画記憶手段を参照し、上記アクセス数に対応して、ランダムに選択された区画に、上記オブジェクト画像を配置して、上記第一画像の一部領域が、当該オブジェクト画像によって隠された上記第二画像を生成する、
ことを特徴とする請求項１に記載のアクセス促進装置。
【請求項４】
上記第一画像を複数の区画として記憶している画像区画記憶手段を有し、
上記画像生成手段は、上記閲覧者端末からのアクセスに応じて、上記画像区画記憶手段を参照し、上記アクセス数に対応して、ランダムに選択された区画に、上記閲覧者端末の操作を受付可能なオブジェクト画像を配置して、上記第一画像の一部領域が、当該オブジェクト画像によって隠された上記第二画像を生成する、
ことを特徴とする請求項３に記載のアクセス促進装置。
【請求項５】
上記アクセス数に対応した、同数の上記オブジェクト画像が予め配置された複数の第三画像を記憶する、画像記憶手段を有し、
上記画像生成手段は、上記アクセス数に対応した上記第三画像を、上記画像記憶手段から抽出し、上記第一画像を上記第二画像に合成する、
ことを特徴とする請求項１に記載のアクセス促進装置。
【請求項６】
所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促す方法であって、
上記閲覧者端末から、上記第一画像に設定されたリンク先へのアクセス要求を受け付けるアクセス要求受付処理と、
上記閲覧者端末によるリンク先へのアクセス数をカウントするアクセス数カウント処理と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成処理と、
生成された上記第二画像に対し、上記リンク先へのリンクを再設定するリンク設定処理と、を有する、
ことを特徴とするアクセス促進方法。
【請求項７】
所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促すコンピュータプログラムであって、
上記閲覧者端末から、上記第一画像に設定されたリンク先へのアクセス要求を受け付けるアクセス要求受付手処理と、
上記閲覧者端末によるリンク先へのアクセス数をカウントするアクセス数カウント処理と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成処理と、
生成された上記第二画像に対し、上記リンク先へのリンクを再設定するリンク設定処理と、を有する、
ことを特徴とするアクセス促進コンピュータプログラム。
【発明の詳細な説明】
【技術分野】
【０００１】
本発明は、Ｗｅｂページ上に張られたリンクに関して、ユーザがアクセス数を容易に感知できる、アクセス促進技術に関する。
【背景技術】
【０００２】
現在、例えば、ポータルサイト、ＳＮＳ（Ｓｏｃｉａｌ  Ｎｅｔｗｏｒｋ  Ｓｅｒｖｉｃｅ）、個人ブログなどのＷｅｂサイト上には、リンクが張られており、このリンクをクリックすることで表示される広告が存在する。このリンクをユーザがクリックし、アクセスすることで、広告が視聴される。
【０００３】
しかしながら、リンクされている広告が膨大なため、ユーザにとっては、人気のある広告を選択することが困難であり、また、広告主にとっては、効果的なアクセスが得られないという問題があった。
【０００４】
この点、ユーザが、Ｗｅｂページ上でのリンクをクリックし、広告へのアクセスを促進する関連技術としては、例えば、特許文献１に記載がある通り、現在商品映像と商品名および現在価格が目視可能に合成された画像情報が提案されている。
【先行技術文献】
【特許文献】
【０００５】
【特許文献１】特開２００１−２３６４１３
【発明の概要】
【発明が解決しようとする課題】
【０００６】
上記特許文献１に記載された技術では、Ｗｅｂブラウザの画面上にて、消費者が選択した商品に関する商品情報が、画面上にリアルタイムで提供される。
しかしながら、消費者は、実際に購入を希望する商品を選択して初めて、当該商品に関する商品情報が得られるため、どの商品が売れ筋であるなど、人気度を知ることは出来ない。
【０００７】
また、現在商品映像と商品名および現在価格が目視可能に合成された画像情報の構成では、数値による商品情報であり、商品の人気度を一目で察知することも容易ではない。
【課題を解決するための手段】
【０００８】
上記目的を達成するため、本発明の一の観点に係るアクセス促進装置は、所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促す装置であって、
上記閲覧者端末から、上記第一画像に設定されたリンク先へのアクセス要求を受け付けるアクセス要求受付手段と、
上記閲覧者端末によるリンク先へのアクセス数をカウントするアクセス数カウント手段と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成手段と、
生成された上記第二画像に対し、上記リンク先へのリンクを再設定するリンク設定手段と、を有するものとしてもよい。
【０００９】
また、上記アクセス促進装置は、上記アクセス数が既定数を超えると、上記第二画像に対する、上記リンクの再設定を解除する、リンク解除手段を有するものとしてもよい。
【００１０】
また、上記アクセス促進装置は、上記第一画像を複数の区画として記憶している画像区画記憶手段を有し、
上記画像生成手段は、上記閲覧者端末からのアクセスに応じて、上記画像区画記憶手段を参照し、上記アクセス数に対応して、ランダムに選択された区画に、上記オブジェクト画像を配置して、上記第一画像の一部領域が、当該オブジェクト画像によって隠された上記第二画像を生成するものとしてもよい。
【００１１】
また、上記アクセス促進装置は、上記第一画像を複数の区画として記憶している画像区画記憶手段を有し、
上記画像生成手段は、上記閲覧者端末からのアクセスに応じて、上記画像区画記憶手段を参照し、上記アクセス数に対応して、ランダムに選択された区画に、上記閲覧者端末の操作を受付可能なオブジェクト画像を配置して、上記第一画像の一部領域が、当該オブジェクト画像によって隠された上記第二画像を生成するものとしてもよい。
【００１２】
また、上記アクセス促進装置は、上記アクセス数に対応した、同数の上記オブジェクト画像が予め配置された複数の第三画像を記憶する、画像記憶手段を有し、
上記画像生成手段は、上記アクセス数に対応した上記第三画像を、上記画像記憶手段から抽出し、上記第一画像を上記第二画像に合成するものとしてもよい。
【００１３】
また、本発明の別の観点に係るアクセス促進方法は、所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促す方法であって、
上記閲覧者端末から、上記第一画像に設定されたリンク先へのアクセス要求を受け付けるアクセス要求受付処理と、
上記閲覧者端末によるリンク先へのアクセス数をカウントするアクセス数カウント処理と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成処理と、
生成された上記第二画像に対し、上記リンク先へのリンクを再設定するリンク設定処理と、を有するものとしてもよい。
【００１４】
また、本発明の別の観点に係るアクセス促進コンピュータプログラムは、所定のリンク先へのリンクが設定された第一画像が挿入されたＷｅｂページの閲覧者が利用する閲覧者端末とネットワークを介して通信可能に構成され、当該Ｗｅｂページの閲覧者によるリンク先へのアクセスに応じて、上記第一画像を段階的に隠蔽することにより、閲覧者に対してリンク先へのアクセスを促すコンピュータプログラムであって、
上記閲覧者端末から、上記第一画像に設定されたリンク先へのアクセス要求を受け付けるアクセス要求受付手処理と、
上記閲覧者端末によるリンク先へのアクセス数をカウントするアクセス数カウント処理と、
上記閲覧者端末からのアクセスに応じて、上記第一画像上に、上記アクセス数に応じた数のオブジェクト画像が配置され、第一画像の一部領域が当該オブジェクト画像によって隠された第二画像を生成する画像生成処理と、
生成された上記第二画像に対し、上記リンク先へのリンクを再設定するリンク設定処理と、を有するものとしてもよい。
【発明の効果】
【００１５】
本発明によれば、Ｗｅｂページ上に張られたリンクに関して、ユーザがアクセス数を容易に感知でき、広告の人気度が一目で察知できると共に、人気度が一目で察知できるため、ユーザのアクセス欲求を高め、アクセスを促進させることが出来る。
【図面の簡単な説明】
【００１６】
【図１】本発明の実施形態に係るアクセス促進装置の概要を示す図である。
【図２】本発明の実施形態に係るアクセス促進装置の構成を示した機能ブロック図である。
【図３】本発明の実施形態に係るアクセス促進装置において、全体の処理の流れを示すシーケンス図である。
【図４】本発明の実施形態に係るアクセス促進装置において、第一画像にオブジェクト画像を合成する一の態様を示す処理フロー図である。
【図５】本発明の実施形態に係るアクセス促進装置において、第一画像にオブジェクト画像を合成する別の態様を示す処理フロー図である。
【発明を実施するための形態】
【００１７】
次に、本発明の実施形態に係るアクセス促進装置について、図を参照して説明する。
【００１８】
本実施形態に係るアクセス促進装置の概要を、図１を用いて説明する。
第一画像１は、Ｗｅｂページ上に表示され、ハイパーリンク先が設定される画像である。第一画像１は、Ｗｅｂページ上に表示されたリンク先が設定された画像であれば任意に選択でき、広告や、音楽および映像コンテンツサイトの視聴機能、宣伝、調査、または、ニュースが考えられるが、特に制限はない。
【００１９】
第二画像４は、第一画像１にオブジェクト画像３を合成することで生成された画像である。この第二画像４では、第一画像１の所定の箇所に、１又は、複数のオブジェクト画像３が配置され、オブジェクト画像３によって、第一画像１の一部が隠されている。
なお、オブジェクト画像３は、閲覧者が、第一画像１に設定されたリンク先にアクセスした回数に応じた数が配置される。従って、オブジェクト画像３は、単数または複数配置される。
【００２０】
オブジェクト画像３の図柄や模様は、管理者が自由に決めることができ、具体的には、幾何学模様、キャラクター、マーク、広告主のロゴなどを適宜用いることができる。
また、オブジェクト画像３は、一種に限定されず、同時に複数の種類が選択されてもよい。
複数のオブジェクト画像３が配置される場合、そのオブジェクト画像３は、全て同じものでなくてもよい。
【００２１】
第三画像は、閲覧者が、第一画像１に付されたリンク先にアクセスした回数に応じた数が配置されたオブジェクト画像３が、予め配置された図である。第三画像は、オブジェクト画像３の個数に応じて、複数枚用意されている。
【００２２】
なお、本実施形態では、第二画像４を生成する際、オブジェクト画像３をアクセス数に応じてその都度合成してもよいし、または、予め作成してある第三画像を合成してもよい。
【実施例１】
【００２３】
図２に示されるように、本実施形態に係るアクセス促進装置２１は、閲覧者端末２２とインターネット等のネットワークＮＷを介して通信可能に構成されている。
【００２４】
アクセス促進装置２１は、ＣＰＵ（Ｃｅｎｔｒａｌ  Ｐｒｏｃｅｓｓｉｎｇ  Ｕｎｉｔ）、ＣＰＵが実行するコンピュータプログラム、コンピュータプログラムや所定のデータを記憶するＲＡＭ（Ｒｅａｄ  Ｏｎｌｙ  Ｍｅｍｏｒｙ）などの内部メモリ、及びハードディスクドライブなどの外部記憶装置により、アクセス要求受付部２０１、アクセス数カウント部２０２、画像生成部２０３、リンク設定部２０４、リンク解除部２０５、画像区画記憶部２０６、画像記憶部２０７、通信処理部２０８を構成する。
【００２５】
アクセス要求受付部２０１は、閲覧者端末２２から第一画像又は第二画像に設定されたリンク先へのアクセス要求を受け付ける受付部である。
このアクセス要求受付部２０１は、閲覧者端末２２から、上記リンク先へのアクセスを受け付けると、閲覧者端末２２に対して、リンク先のＷｅｂページを提供する。上記リンク先Ｗｅｂページの提供は、ポップアップウィンドウであってもよいし、そのまま画面を遷移させるものであってもよい。
【００２６】
アクセス数カウント部２０２は、閲覧者端末２２によるリンク先へのアクセス数をカウウントする集計部である。
このアクセス数カウント部２０２は、集計したアクセス数を、画像生成部２０３に提供する。
【００２７】
画像生成部２０３は、アクセス数カウント部２０２から取得したアクセス数に応じた数のオブジェクト画像３を、画像記憶部２０７から抽出し、当該抽出したオブジェクト画像３を、第一画像１上に配置した第二画像４を生成する。
こうして生成された第二画像４は、第一画像１がオブジェクト画像３によって部分的に、あるいは、全体的に隠されている。
【００２８】
リンク設定部２０４は、画像生成部２０３によって生成された第二画像４に対し、リンクを再設定する。
このリンク設定部２０４のリンク再設定により、次の閲覧者は、閲覧者端末２２によって、第二画像４が表示される。この繰り返しにより、次の閲覧者は、閲覧者端末２２によって、この第二画像４を見ることで、アクセスする前に、何人の閲覧者がアクセスしたのかが、容易に知覚できる。
【００２９】
リンク解除部２０５は、閲覧者端末２２の第一画像１へのアクセスが既定数を超えたとき、第二画像４に対する上記リンクの設定を解除する。また、リンク解除部２０５は、アクセス数に基づき、リンク解除の判別を行う。
このリンク解除部２０５により、新たに閲覧する閲覧者端末２２が第一画像１にアクセスしたとき、アクセス要求受付手段２０１は、アクセスを受け入れず、閲覧者端末２２には、リンク先を見ることが出来なくなる。
上記したアクセス既定値は、図示しないアクセス促進装置２１の管理者が任意で設定することができる。また、アクセス既定値は、設定されなくてもよい。
【００３０】
画像区画記憶部２０６は、第一画像１を複数の区画として記憶している。
【００３１】
画像記憶部２０７は、オブジェクト画像３を記憶している。また、画像記憶部２０７は、第一画像１を記憶している。
【００３２】
通信処理部２０８は、ネットワークＮＷを介して、閲覧者端末２２と通信可能となっている。
【００３３】
閲覧者端末２２は、コンピュータ、ＰＤＡ（ＰＥＲＳＯＮＡＬ  ＤＩＧＩＴＡＬ  ＡＳＳＩＳＴＡＮＴ）、スマートフォン、３Ｇ対応の携帯電話などの端末で構成することができ、通信処理部２２０、表示処理部２２１を備える。
【００３４】
通信処理部２２０は、ネットワークＮＷを介して、アクセス促進装置２１と通信可能となっている。
表示処理部２２１は、ＨＴＭＬ文書（その他のＷＷＷ情報）内の記述に従って、Ｗｅｂページ中に表示されているオブジェクト画像３等の情報の制御を行う。
【００３５】
以下、本実施形態に係るアクセス促進装置２１が実行する画像生成処理の一連の流れについて、図３を参照して説明する。
まず、閲覧者は、閲覧者端末２２により、Ｗｅｂサイト上に表示された第一画像１をクリックする。閲覧者端末２２は、アクセス促進装置２１に対し、リンク先ページへのアクセス要求を送信する（Ｓ５０１）。
これに対して、アクセス促進装置２１は、アクセス要求部２０１により、閲覧者端末２２からのアクセス要求を受信し、閲覧者端末２２に対し、リンク先ページを提供する（Ｓ５０２）。
これにより、閲覧者端末２２は、リンク先ページを受信する(Ｓ５０３)。
その後、アクセス数カウント部２０２がアクセス数をカウントする（Ｓ５０４）。
リンク解除部２０５は、アクセス数に基づき、アクセス数が既定値を超えているか否かを判定する（Ｓ５０５）。
この結果、これまでのアクセス数が既定値を超えた場合、リンク解除部２０５は、第二画像４に対するリンクの設定を解除する（Ｓ５０６）。これにより、次の閲覧者は、閲覧者端末２２によって、第一画像又は第二画像に設定されていたリンク先に、アクセスできなくなる。
一方、（Ｓ５０５）による判別処理の結果、アクセス数が既定値を超えていない場合、画像生成部２０３は、アクセス数に応じたオブジェクト画像３を配置した第二画像４を生成する（Ｓ５０７）。
その後、リンク設定部２０４が、第二画像４に対し、リンク先へのリンクを再設定する（Ｓ５０８）。
【００３６】
以下に、本発明のアクセス促進装置２１が、画像生成部２０３が、第二画像４を生成する第一の態様を、図４を用いて説明する。なお、この処理は、図３におけるＳ５０７の処理の詳細である。
画像生成部２０３は、画像区画記憶部２０６を参照し、アクセス数に応じたオブジェクト画像３を抽出する（Ｓ６０１）。
画像生成部２０３は、画像区画記憶部２０６を参照し、アクセス数に応じた数の区画をランダムに選択した上で、当該選択した区画に抽出したオブジェクト画像３を配置する（Ｓ６０２）。
【００３７】
なお、第二画像４は、閲覧者による操作に応じて、所定の動作をするものであってもよい。所定の動作とは例えば、オブジェクト画像３を、クリックアンドドロップにより動かせものであったり、クリックによってオブジェクト画像３を消去したりできるものである。
【００３８】
このような第二画像は、ＨＴＭＬソース内に、閲覧者からの操作を受け付け、オブジェクト画像３に所定の動作をさせるためのプログラムを埋め込むことによって実現することができる。このようなプログラムは、セッションを維持したまま通信を行うことが可能な言語で書かれたものであり、例えば、Ｊａｖａ（登録商標）ＳｃｒｉｐｔやＭａｃｒｏｍｅｄｉａＦｌａｓｈ（商標）を用いて作成することができる。
【００３９】
また、この場合、閲覧者端末２２の通信処理部２２０には、このようなプログラムを実行するため、ＨＴＭＬ文書（その他のＷＷＷ情報）内の記述に従って、Ｗｅｂページ中に表示されているオブジェクト画像３等の情報の制御を行う表示制御部２２１と、Ｊａｖａ（登録商標）Ｓｃｒｉｐｔを実行するＪＶＭ（Java Virtual Machine）と、Ｆｌａｓｈ（商標）ファイルを実行するフラッシュプレイヤー（ＦｌａｓｈＰｌａｙｅｒ）とを備える。
【実施例２】
【００４０】
続いて、本発明のアクセス促進装置２１が、第一画像１から第二画像４を生成する別の態様を、図５を用いて説明する。なお、この処理は、図３におけるＳ５０７の処理である。
なお、本例において、画像記憶部２０７は、アクセス数に対応したオブジェクト画像３が予め配置された複数の第三画像を、アクセス数と関連付けて記憶している。
また、画像生成部２０３は、アクセス数に対応した第三画像を、画像記憶部２０７から抽出し、第一画像１と合成して第二画像４を生成する。
なお、第三画像は、オブジェクト画像３が配置されている箇所以外は空白になっており、第一画像１と第三画像を合成すると、第三画像の空白部分にのみ、第一画像１が表示された第二画像４が生成される。
画像生成部２０３は、アクセス数カウント部２０２によって集計されたカウント数に基づき、画像記憶部２０７を参照して、第三画像を抽出する（Ｓ７０１）。
画像生成部２０３は、この第三画像を第一画像１に合成し、第二画像４を生成する（Ｓ７０２）。
【符号の説明】
【００４１】
１            第一画像
３            オブジェクト画像
４            第二画像
２１          アクセス促進装置
２２          閲覧者端末
２０１        アクセス要求受付部
２０２        アクセス数カウント部
２０３        画像生成部
２０４        リンク設定部
２０５        リンク解除部
２０６        画像区画記憶部
２０７        画像記憶部
２０８        通信処理部
２２０        通信処理部
２２１        表示処理部
【図１】
2012234414.tif 000003
【図２】
2012234414.tif 000004
【図３】
2012234414.tif 000005
【図４】
2012234414.tif 000006
【図５】
2012234414.tif 000007